(57)【要約】【課題】複数の画像入力を重ね合わせる画像処理方法／装置において、画像入力信号を重ね合わせの比率の係数として用いることで、それ以外の画像入力を重ね合わせる際の比率を任意に可変することで、自然画を徐々に透明化する処理、及びその表示位置の移動を容易に実現できる画像処理方法及び装置を提供する。【解決手段】複数の画像入力信号を重ね合わせる画像処理方法において、画像入力信号を入力するための複数の入力手段と、該複数の入力手段により入力された画像をブレンドするための複数のブレンド手段と、を有し、ブレンドする２つの画像信号以外の入力信号をブレンド部のブレンド値として用いる。【選択図】    図１
2004185319.tif 000002
【特許請求の範囲】
【請求項１】
複数の画像入力信号を重ね合わせる画像処理方法において、
画像入力信号を入力するための複数の入力手段と、
前記複数の入力手段により入力されたそれぞれの画像をブレンドするための複数のブレンド手段と、を有し、
ブレンドする２つの画像信号以外の入力信号を前記ブレンド手段のブレンド値として用いることを特徴とする画像処理方法。
【請求項２】
請求項１に記載の画像処理方法において、
上記ブレンド手段に与えるブレンド値は、ブレンドする２つの画像信号のうちの、何れか一方の画像信号に含まれる画素毎のブレンド値と、そのブレンドする２つの画像信号以外の入力信号からのブレンド値とを切替えるスイッチ手段により切替えたブレンド値であることを特徴とする画像処理方法。
【請求項３】
複数の画像入力信号を重ね合わせる画像処理装置において、
画像入力信号を入力するための複数の入力部と、
前記複数の入力部で入力された画像をブレンドするための複数のブレンド部と、を有し、
ブレンドする２つの画像信号以外の入力信号を前記ブレンド部のブレンド値として用いることを特徴とする画像処理装置。
【請求項４】
請求項３に記載の画像処理装置において、
上記ブレンド部に与えるブレンド値は、ブレンドする２つの画像信号のうち、何れか一方の画像信号に含まれる画素毎のブレンド値と、そのブレンドする２つの画像信号以外の入力信号からのブレンド値とを切替えるためのスイッチ部により切替えられたブレンド値であることを特徴とする画像処理装置。
【発明の詳細な説明】
【０００１】
【発明の属する技術分野】
本発明は、画像処理方法及び画像処理装置に関するものであり、詳しくは画像入力信号を重ね合わせの比率の係数として用いることで、ブレンドする画像入力信号以外の画像入力信号を重ね合わせる際の比率を任意に可変にできるようにした画像処理方法及び画像処理装置に関する。
【０００２】
【従来の技術】
従来技術における画像入力信号を重ね合わせるための手法を備えた画像処理装置１０は、図４に示すように、基準タイミング信号ＣＬＫに同期させて入力信号ＩｎＡを入力する第１入力部１１と、基準タイミング信号ＣＬＫに同期させて入力信号ＩｎＢを入力する第２入力部１２と、基準タイミング信号ＣＬＫに同期させて入力信号ＩｎＣを入力する第３入力部１３と、基準タイミング信号ＣＬＫに同期させて入力信号ＩｎＤを入力する第４入力部１４と、制御情報ＣｎＩを入力し且つ第１〜第４入力部１１〜１４を制御する制御部１５と、第１入力部１１からの画像信号ＧｒＡ、第２入力部１２からの画像信号ＧｒＢ、第２入力部１２からのブレンド値αＢのそれぞれを入力してブレンドする第１ブレンド部１６と、第１ブレンド部１６からのブレンド画像信号ＢｒＡ、第３入力部１３からの画像信号ＧｒＣ、第３入力部１３からのブレンド値αＣのそれぞれを入力してブレンドする第２ブレンド部１７と、第２ブレンド部１７からのブレンド画像信号ＢｒＢ、第４入力部１４からの画像信号ＧｒＤ、第４入力部１３からのブレンド値αＤのそれぞれを入力してブレンドする第３ブレンド部１８と、から構成され、第３ブレンド部１８から所望の画像出力信号ＧｒＯが出力される。
【０００３】
第１〜第４入力部１１〜１４は、それぞれが同一構成になっており、今、第２入力部１２によりその構成を説明すると、図５に示すように、入力信号ＩｎＢを一時的に蓄積するＦＩＦＯメモリ２１と、ＦＩＦＯメモリ２１に蓄積されている映像信号の色情報のテーブルであるカラールックアップテーブル（ＣＬＵＴ）２２と、入力信号ＩｎＢをＦＩＦＯメモリ２１へ取込むタイミング信号及びＦＩＦＯメモリ２１から後段へ出力するタイミング信号を生成するタイミング生成回路２３と、画像信号又はブレンド値の出力を切替えるための第１及び第２スイッチＳＷ１、ＳＷ２（２４、２５）と、入力信号ＩｎＢそのものが存在しないとき又は入力信号ＩｎＢ中に画像信号、ブレンド値が存在しないときに、固定値を出力するための第１及び第２レジスタ２６、２７と、タイミング生成回路２３、第１及び第２レジスタ２６、２７を制御する制御回路２８とからなる。
【０００４】
図４に戻って、第１〜第３ブレンド部１６〜１８は、それぞれが同一構成になっており、図６に示すように、入力をＰ、Ｑ、ブレンド値をα、出力をＯとすると、第１〜第３ブレンド部１６、１７、１８では、
Ｏ＝α・Ｑ＋（１−α）・Ｐ＝α・（Ｑ−Ｐ）＋Ｐ
という演算が行われる。ここで、αは０〜１の少数である。
【０００５】
ブレンド部内部には、Ｘ＝Ｑ−Ｐの減算を行う減算器３１と、Ｙ＝Ｘ＊αの計算を行う乗算器３２と、Ｏ＝Ｙ＋Ｐの加算を行う加算器３３とを備えた構成になっている。
【０００６】
このように、入力Ｐ、Ｑは減算器３１に入力されＸ＝Ｑ−Ｐの演算処理が施され、結果のＸは乗算器３２にてブレンド値αと乗算され、乗算された結果Ｙは加算器３３によって入力Ｐと加算されることによって、所望のブレンド処理を施した出力Ｏが得られる。
【０００７】
このような構成において、先ず、第１〜第４入力部１１〜１４より出力された画像信号ＧｒＡ〜ＧｒＤは、第１〜第３ブレンド部１６〜１８にてブレンド値αＢ〜αＤを用いてブレンドされる。第１ブレンド部１６には第１入力部１１の画像信号ＧｒＡ、第２入力部１２の画像信号ＧｒＢ及びブレンド値αＢが入力され、第２ブレンド部１７には第１ブレンド部１６のブレンド画像信号ＢｒＡ、第３入力部１３の画像信号ＧｒＣ及びブレンド値αＣが入力され、第３ブレンド部１８には第２ブレンド部１６のブレンド画像信号ＢｒＢ、第４入力部１４の画像信号ＧｒＤ及びブレンド値αＤが入力される。
図７は、画像の重ね合わせ処理をイメージしたものであり、第１入力部１１の入力信号ＩｎＡが背景用グラフィックスデータ、第２入力部１２の入力信号ＩｎＢが動画、静止画などの自然画である場合に、入力信号ＩｎＡの背景用グラフィックスデータからなる画面領域に、入力信号ＩｎＢの自然画を重ね合わせることで、図中右側に示す重ね合わせ画像を生成することができる。
【０００８】
【特許文献１】
特開平５−３０８５０７号公報  （第２頁  第４図）
【０００９】
【発明が解決しようとする課題】
しかしながら、従来技術で説明した画像処理装置において、２つの画像を重ね合わせることができるとしても、重ね合わせた入力信号ＩｎＢの自然画の縁の部分を序々に透けていくようにして、入力信号ＩｎＡの背景用グラフィックスデータからなる画面領域に重ね合わせる処理を行うことが困難であるという問題がある。
何故ならば、一般的に動画、静止画などの自然画データには画素毎のブレンド値が備わっていないことが多く、その場合、第１〜第４入力部１１〜１５からは、ブレンド値として固定値を出力するためである。
【００１０】
従って、もし、このような効果を実現しようとすると、従来は、外部から入力される自然画に対して、画像の入力前に別途加工処理を行う必要があった。
例えば、画像の入力前に、メモリ上に一旦取り込み、ＣＰＵ等のソフトウェア処理にて一画素毎にブレンド値を付加するなどといった演算を施す必要があった。そのため、外部に画像取り込み装置、ソフトウェア処理用のＣＰＵ、メモリ、メモリから画像を出力する装置などが新たに必要となり、ハードウェアコストの増大を招くという問題がある。
【００１１】
又、ソフトウェア演算処理に相当の時間を要することから、これを動画に応用する場合、ＣＰＵ等に高いパフォーマンスが要求され、ＴＶ等の民生用機器においては、実現が不可能であるという問題がある。
【００１２】
更に、同様の処理機能を、図８に示すように、入力信号ＩｎＡを自然画とし、入力信号ＩｎＢを背景用グラフィックスデータとした場合に、入力信号ＩｎＢの画素のブレンド値を、入力信号ＩｎＡの自然画が収まるような形状で部分的に透明化することで実現することも可能であるが、この場合、例えば、自然画の表示をスムーズに移動させるような効果を実現しようとすると、背景画像の画素のブレンド値をリアルタイムに変化させる必要があり、そのためのソフトウェア処理に必要なパフォーマンスが非常に高いため、ＴＶ等の民生用機器においては不可能であるという問題もある。
【００１３】
従って、１つの入力部から出力されるブレンド値又は画像信号の何れか、他の２つの入力信号のブレンドに用いるブレンド値として使用可能にすることにより、ごく小規模のハードウェアの追加で、従来必要であった高いソフトウェア処理能力等を必要とすることなく、序々に透明化する処理、及びその表示位置をスムーズに変化させる処理を実現することに解決しなければならない課題を有する。
【００１４】
【課題を解決するための手段】
上記課題を達成するために、本発明に係る画像処理方法及び画像処理装置は、次に示す構成にすることである。
【００１５】
（１）画像処理方法は、複数の画像入力信号を重ね合わせる画像処理方法において、画像入力信号を入力するための複数の入力手段と、前記複数の入力手段により入力されたそれぞれの画像をブレンドするための複数のブレンド手段と、を有し、ブレンドする２つの画像信号以外の入力信号を前記ブレンド手段のブレンド値として用いることである。
（２）又、（１）に記載の画像処理方法において、上記ブレンド手段に与えるブレンド値は、ブレンドする２つの画像信号のうちの、何れか一方の画像信号に含まれる画素毎のブレンド値と、そのブレンドする２つの画像信号以外の入力信号からのブレンド値とを切替えるスイッチ手段により切替えたブレンド値であることである。
【００１６】
（３）画像処理装置は、複数の画像入力信号を重ね合わせる画像処理装置において、画像入力信号を入力するための複数の入力部と、前記複数の入力部で入力された画像をブレンドするための複数のブレンド部と、を有し、ブレンドする２つの画像信号以外の入力信号を前記ブレンド部のブレンド値として用いることである。
（４）又、（３）に記載の画像処理装置において、上記ブレンド部に与えるブレンド値は、ブレンドする２つの画像信号のうち、何れか一方の画像信号に含まれる画素毎のブレンド値と、そのブレンドする２つの画像信号以外の入力信号からのブレンド値とを切替えるためのスイッチ部により切替えられたブレンド値である。
【００１７】
このように、１つの入力部から出力されるブレンド値又は画像信号の何れかを、他の２つの入力信号のブレンドに用いるブレンド値として使用可能にすることにより、ごく小規模のハードウェアの追加で、従来必要であった高度なソフトウェア処理能力等を必要とすることなく、重ね合わせ処理に際して、自然画を徐々に透明化する処理、及びその表示位置の移動を容易に実現できるようになる。
【００１８】
【発明の実施の形態】
次に、本願発明に係る画像処理方法及び画像処理装置の実施形態について、図面を参照して説明する。尚、従来技術で説明したものと同じものには同一符号を付与して説明する。
【００１９】
本願発明の画像処理方法を具現化できる画像処理装置は、図１に示すように、複数の入力画像信号をブレンド処理して重ね合わせるための回路であり、実施例においては入力が４系統の場合の回路構成となっている。
この回路構成は、基準タイミング信号ＣＬＫに同期させて入力信号ＩｎＡを入力する第１入力部１１と、基準タイミング信号ＣＬＫに同期させて入力信号ＩｎＢを入力する第２入力部１２と、基準タイミング信号ＣＬＫに同期させて入力信号ＩｎＣを入力する第３入力部１３と、基準タイミング信号ＣＬＫに同期させて入力信号ＩｎＤを入力する第４入力部１４と、制御情報ＣｎＩを入力し且つ第１〜第４入力部１１〜１４の制御、後述する第１スイッチＳＷ１（４１）、第２スイッチＳＷ２（４２）、第３スイッチＳＷ３（４３）を制御する制御部１５と、第１入力部１１からの画像信号ＧｒＡ、第２入力部１２からの画像信号ＧｒＢ、第１スイッチＳＷ１（４１）を介して第２入力部１２からのブレンド値αＢ又は第３入力部１３のブレンド値αＣで生成されるブレンド値αＢＣのそれぞれを入力してブレンドする第１ブレンド部１６と、第１ブレンド部１６からのブレンド画像信号ＢｒＡ、第３入力部１３からの画像信号ＧｒＣ、第２スイッチＳＷ２（４２）を介して第３入力部１３からのブレンド値αＣ又は第４入力部１４からのブレンド値αＤ又は固定値“０”からなるブレンド値αＣＤ０のそれぞれを入力してブレンドする第２ブレンド部１７と、第２ブレンド部１７からのブレンド画像信号ＢｒＢ、第４入力部１４からの画像信号ＧｒＤ、第３スイッチＳＷ３（４３）を介して第４入力部１４からのブレンド値αＤ又は固定値“０”からなるブレンド値αＤ０のそれぞれを入力してブレンドする第３ブレンド部１８と、から構成されており、第３ブレンド部１８から所望の画像出力信号ＧｒＯが出力される。
【００２０】
第１〜第４入力部１１〜１４は、従来技術で説明した第１〜第４入力部と同様の構成になっており、今、第２入力部１２によりその構成を説明すると、従来技術で説明した図５に示すように、入力信号ＩｎＢを一時的に蓄積するＦＩＦＯメモリ２１と、ＦＩＦＯメモリ２１に蓄積されている映像信号の色情報のテーブルであるカラールックアップテーブル（ＣＬＵＴ）２２と、入力信号ＩｎＢをＦＩＦＯメモリ２１へ取込むタイミング信号及びＦＩＦＯメモリ２１から後段へ出力するタイミング信号を生成するタイミング生成回路２３と、画像信号又はブレンド値の出力を切替えるための第１及び第２スイッチＳＷ１、ＳＷ２（２４、２５）と、入力信号そのものが存在しないとき又は入力信号中に画像信号、ブレンド値が存在しないときに、固定値を出力するための第１及び第２レジスタ２６、２７と、タイミング生成回路２３、第１及び第２レジスタ２６、２７を制御する制御回路２８とからなる。
【００２１】
このような構成からなる第２入力部１２において、先ず、タイミング生成回路２３において生成された取込みタイミング信号に合わせて、入力信号ＩｎＢがＦＩＦＯメモリ２１に取込まれ一時的に保持される。そして、同じくタイミング生成回路２３において生成された出力タイミング信号に合わせて後段に出力される。
出力された信号がカラールックアップテーブル２２に格納された画素値データの番号データである場合は、その番号データに対応する画素値データをカラールックアップテーブル２２から取り出し第１スイッチ（ＳＷ１）２４に入力する。又は、入力信号そのものが存在しないとき、又は入力信号中に画像信号が存在しない期間の場合には、第１レジスタ２６に保存された画素値データが第１スイッチ（ＳＷ１）２４に入力される。
【００２２】
第１スイッチ（ＳＷ１）２４は、入力信号の種別、及びタイミングに合わせてタイミング生成回路２３にて生成したタイミング信号を用いて切替えられ、所望の画素値データ画像信号ＧｒＢとして出力するスイッチである。
【００２３】
同様に、ＦＩＦＯメモリ２１から出力された信号がカラールックアップテーブル２２に格納された画素値データの番号データである場合は、その番号データに対応する画素値データをカラールックアップテーブル２２から取り出し、そのうちのブレンド値部分を第２スイッチ（ＳＷ２）２５に入力する。
【００２４】
又は、出力された信号にブレンド値が含まれる場合は、出力信号そのもののブレンド値部分を第２スイッチ（ＳＷ２）２５に入力する。又は、入力信号そのものが存在しないとき、又は入力信号中にブレンド値が存在しない場合には、第２レジスタ２７に保持されたブレンド値データが第２スイッチ（ＳＷ２）２５に入力される。
【００２５】
第２スイッチ（ＳＷ２）２５は、入力信号の種別、及びタイミングに合わせてタイミング生成回路２３に生成したタイミング信号を用いて切替えられ、所望のブレンド値データがブレンド値αＢとして出力するスイッチである。
尚、制御情報ＣｎＩは、図示しないＣＰＵ等からの制御情報に基づいて制御回路２８にて分離、生成された制御情報であり、制御回路２８はこれを元にタイミング生成回路２３の制御、及び第１及び第レジスタ２６、２７に格納する画素値データ、ブレンド値データを抽出、生成する。
【００２６】
図１に戻って、第１〜第３ブレンド部１６、１７、１８は、従来技術で説明した第１〜第３ブレンド部と同じく、それぞれが同一構成になっており、従来技術で説明した図６に示すように、入力をＰ、Ｑ、ブレンド値をα、出力をＯとすると、第１〜第３ブレンド部１６、１７、１８では、
Ｏ＝α・Ｑ＋（１−α）・Ｐ＝α・（Ｑ−Ｐ）＋Ｐ
という演算が行われる。ここで、αは０〜１の少数である。
【００２７】
ブレンド部内部には、Ｘ＝Ｑ−Ｐの減算を行う減算器３１と、Ｙ＝Ｘ＊αの計算を行う乗算器３２と、Ｏ＝Ｙ＋Ｐの加算を行う加算器３３とを備えた構成になっている。
このように、入力Ｐ、Ｑは減算器３１に入力されＸ＝Ｑ−Ｐの演算処理が施され、結果のＸは乗算器３２にてブレンド値αと乗算され、乗算された結果Ｙは加算器３３によって入力Ｐと加算されることによって、所望のブレンド処理を施した出力Ｏが得られる。
【００２８】
以上、装置の構成を説明したが、このような構成からなる装置の動作について、以下説明する。
【００２９】
先ず、第１〜第４入力部１１〜１４より出力された画像信号ＧｒＡ〜ＧｒＤは、第１〜第３ブレンド部１６〜１８にてブレンド値αＢＣ、αＣＤ０、αＤ０を用いてブレンドされる。
即ち、第１ブレンド部１６には画像信号ＧｒＡ、ＧｒＢ及びブレンド値αＢＣが入力され、第２ブレンド部１７には第１ブレンド部１６の出力であるブレンド画像信号ＢｒＡと第３入力部１３の画像信号ＧｒＣ及びブレンド値αＣＤ０が入力され、第３ブレンド部１８には第２ブレンド部１７の出力であるブレンド画像信号ＢｒＢと第４入力部１４の画像信号ＧｒＤ及びブレンド値αＤ０が入力される。第３ブレンド部１８の出力は画像出力信号ＧｒＯとして出力される。
【００３０】
ここで、ブレンド値αＢＣは第２入力部１２のブレンド値αＢ、第３入力部１３のブレンド値αＣを第１スイッチ（ＳＷ１）４１にて切替えた出力であり、ブレンド値αＣＤ０は第３入力部１３のブレンド値αＣ、第４入力部１４のブレンド値αＤ、固定値“０”を第２スイッチ（ＳＷ２）４２にて切替えた出力であり、ブレンド値αＤ０は第４入力部１４のブレンド値αＤ、固定値“０”を第３スイッチ（ＳＷ３）４３にて切替えた出力である。
この切替え制御は、図示しないＣＰＵ等からの制御情報ＣｎＩに基づいて、制御部１５Ａにて第１〜第３スイッチ（ＳＷ１〜ＳＷ３）４１〜４３のそれぞれの切替え信号を生成することによって行われる。尚、第１入力部１１のブレンド値αＡ（図示せず）は使用されない。
【００３１】
図２は、上記説明した画像処理装置の実際のデータを用いた画像の重ね合わせ処理例を示したものである。この例では、第１入力部１１の入力信号ＩｎＡが背景用グラフィックスデータ、第２入力部１２の入力信号ＩｎＢが動画、静止画などの自然画である時に、第３入力部１３の入力信号ＩｎＣを第１ブレンド部１６のブレンド値データとして使用することで重ね合わせ処理を行っている。
この第３入力部１３の入力信号ＩｎＣは、第２入力部１２の入力信号ＩｎＢと同じ大きさの画面領域であって、ブレンド値は画面の両端部が徐々に透けるようなグラデーションのデータからなる。
第３入力部１３の入力信号ＩｎＣより生成されたブレンド値αＣは、第１スイッチ（ＳＷ１）４１によって選択され、ブレンド値αＢＣとして使用される。
【００３２】
図２中の入力信号ＩｎＣにおいて、白色がブレンド値１、黒色がブレンド値０を表しており、第１ブレンド部１６の出力は、入力信号ＩｎＣが白色になるほど入力信号ＩｎＢの画像信号成分が出力される割合が多く、黒色になるほど入力信号ＩｎＡの画像信号成分が出力される割合が多くなることを示している。
【００３３】
また、第２及び第３スイッチ（ＳＷ２、ＳＷ３）４２、４３はそれぞれ固定値“０”が選択されるように制御しておくことで、第１ブレンド部１６の出力をそのまま画像出力信号ＧｒＯとして出力することができる。以上の処理により、図２の右側に示すように、第１入力部１１の入力信号ＩｎＡの画像領域の中に、第２入力部ＩｎＢの画像の両端部にグラデーションをかけた画像を重ね合わせて画像出力を得ることができる。
【００３４】
ここで、ブレンド値として使用するブレンド値αＢＣの生成方法としては、所望のブレンド値のみを含む信号を入力信号ＩｎＣとする場合と、第３入力部１３内のカラールックアップテーブル２２に所望のブレンド値を含む画素データを格納しておき、その格納された画素値データの番号データを入力信号ＩｎＣとして入力する場合の２つがある。
【００３５】
又、基準タイミング信号ＣＬＫ１５は第１〜第４入力部１１〜１４のそれぞれで同一であるので、第３及び第４入力部１３、１４内のタイミング生成回路２３を制御するための制御情報ＣｎＩを同時に変化させることによって、第３及び第４入力部１３、１４内部の取込みタイミング、出力タイミングを合わせることが出来、それにより、第２入力部１２の画像信号ＧｒＢと第３入力部１３のブレンド値αＣを同じタイミングで出力可能となる。
これにより、画像信号自体の加工処理を行わずに重ね合わせ効果を保持したまま、その表示位置の移動を容易に実現することができるのである。
【００３６】
尚、４つの入力信号を画像入力として使用した場合は、従来同様、４つの画像の重ね合わせを行うことが可能である。図３は４つの入力信号ＩｎＡ〜ＩｎＤを使用して画像を重ね合わせたときのイメージ図である。例えば、入力信号ＩｎＡが背景グラフィックスデータで、入力信号ＩｎＢが入力信号ＩｎＡの略９分の１大きさの静止画像データ、入力信号ＩｎＣが入力信号ＩｎＡの略４分の１大きさの静止画データ、入力信号ＩｎＤが符号からなる画像データであった場合に、それらを図中右側に示すように、入力信号ＩｎＡの画像に入力信号ＩｎＢの画像を左上位置に重ね合わせ、入力信号ＩｎＣの画像を略中央位置に重ね合わせ、入力信号ＩｎＤの画像を中央下部位置に重ね合わせ処理することが可能となる。
【００３７】
【発明の効果】
上記説明したように、本発明に係る画像処理方法及び画像処理装置は、１つの入力部から出力されるブレンド値又は画像信号の何れかを、他の２つの入力部のブレンドに用いるブレンド値として使用可能にすることにより、ごく小規模のハードウェアの追加で、従来必要であった高いソフトウェア処理能力等を必要とすることなく、重ね合わせ処理に際して、自然画を序々に透明化する処理、及びその表示位置の移動を容易に実現することができるという効果がある。
【図面の簡単な説明】
【図１】本発明に係る画像処理装置の構成を略示的に示したブロック図である。
【図２】同画像処理装置のブレンドする様子を略示的に示した説明図である。
【図３】同画像処理装置のブレンドする様子を略示的に示した説明図である。
【図４】従来技術における画像処理装置の構成を略示的に示したブロック図である。
【図５】入力部のうち第２入力部の構成を略示的に示したブロック図である。
【図６】ブレンド部の構成を略示的に示したブロック図である。
【図７】従来技術におけるブレンドの様子を示した説明図である。
【図８】従来技術におけるブレンドの様子を示した説明図である。
【符号の説明】
１０Ａ；画像処理装置、１１；第１入力部、１２；第２入力部、１３；第３入力部、１４；第４入力部、１５Ａ；制御部、１６；第１ブレンド部、１７；第２ブレンド部、１８；第３ブレンド部、２１；ＦＩＦＯメモリ、２２；カラールックアップテーブル、２３；タイミング生成回路、２４；第１スイッチ（ＳＷ１）、２５；第２スイッチ（ＳＷ２）、２６；第１レジスタ、２７；第２レジスタ、２８；制御回路、３１；減算器、３２；乗算器、３３；加算器、４１；第１スイッチ（ＳＷ１）、４２；第２スイッチ（ＳＷ２）、４３；第３スイッチ（ＳＷ３）。
【図１】
2004185319.tif 000003
【図２】
2004185319.tif 000004
【図３】
2004185319.tif 000005
【図４】
2004185319.tif 000006
【図５】
2004185319.tif 000007
【図６】
2004185319.tif 000008
【図７】
2004185319.tif 000009
【図８】
2004185319.tif 000010